Podtech/llm-jp-corpus-v4-ja_patent huggingface dataset:
【手続補正書】
【提出日】平成27年10月5日(2015.10.5)
【手続補正１】
【補正対象書類名】明細書
【補正対象項目名】０００１
【補正方法】変更
【補正の内容】
【０００１】
本発明は、可動して演出動作を実行可能な装飾部材を有する装飾装置を備えた遊技機に関する。
【手続補正２】
【補正対象書類名】明細書
【補正対象項目名】０００２
【補正方法】変更
【補正の内容】
【０００２】
従来の遊技機、例えばパチンコ遊技機においては、可動する装飾部材を有する装飾装置を遊技盤に配置して、興趣を高めるパチンコ遊技機が提案されている（例えば、特許文献１参照）。
【手続補正３】
【補正対象書類名】明細書
【補正対象項目名】０００４
【補正方法】変更
【補正の内容】
【０００４】
しかしながら、可動する装飾部材の姿勢が不用意に揺動しないように、リンク機構を設けたり、バネ等で姿勢を維持する必要があった。
【手続補正４】
【補正対象書類名】明細書
【補正対象項目名】０００５
【補正方法】変更
【補正の内容】
【０００５】
本発明は、上記の事情に鑑みてなされたものであり、その目的は、可動する装飾部材の姿勢を容易に維持可能な遊技機を提供しようとするものである。
【手続補正５】
【補正対象書類名】明細書
【補正対象項目名】０００６
【補正方法】変更
【補正の内容】
【０００６】
本発明は、上記目的を達成するために提案されたものであり、請求項１に記載のものは、可動して演出動作を実行可能な装飾装置を備えた遊技機において、
前記装飾装置は、ベース部材と、可動する装飾部材と、駆動力を発生する駆動源と、前記駆動力により前記装飾部材を駆動する駆動機構と、錘部材と、を備え、
前記駆動機構には、所定箇所を前記ベース部材に軸着して、初期位置から終点位置まで回動する回動部材を備え、
前記装飾部材の第１箇所と前記回動部材の特定箇所とを、前記装飾部材が回動可能な状態で軸着し、
前記装飾部材のうち、当該装飾部材の所定の姿勢において前記第１箇所の下方に位置する第２箇所には、前記錘部材を回動可能な状態で軸着し、
前記装飾部材は、前記回動部材の前記初期位置において、前記錘部材により下方に牽引されて前記所定の姿勢を維持し、前記回動部材が前記初期位置から前記終点位置に向けて回動した場合に、前記錘部材により下方に牽引されて前記第１箇所で回動して前記所定の姿勢を維持することを特徴とする遊技機である。
【手続補正６】
【補正対象書類名】明細書
【補正対象項目名】０００７
【補正方法】変更
【補正の内容】
【０００７】
請求項１に記載の発明によれば、回動部材が回動しても装飾部材の姿勢を維持することができる。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】変更
【補正の内容】
【００１０】
本発明によれば、可動する装飾部材の姿勢を容易に維持することができる。
【手続補正１０】
【補正対象書類名】特許請求の範囲
【補正対象項目名】全文
【補正方法】変更
【補正の内容】
【特許請求の範囲】
【請求項１】
可動して演出動作を実行可能な装飾装置を備えた遊技機において、
前記装飾装置は、ベース部材と、可動する装飾部材と、駆動力を発生する駆動源と、前記駆動力により前記装飾部材を駆動する駆動機構と、錘部材と、を備え、
前記駆動機構には、所定箇所を前記ベース部材に軸着して、初期位置から終点位置まで回動する回動部材を備え、
前記装飾部材の第１箇所と前記回動部材の特定箇所とを、前記装飾部材が回動可能な状態で軸着し、
前記装飾部材のうち、当該装飾部材の所定の姿勢において前記第１箇所の下方に位置する第２箇所には、前記錘部材を回動可能な状態で軸着し、
前記装飾部材は、前記回動部材の前記初期位置において、前記錘部材により下方に牽引されて前記所定の姿勢を維持し、前記回動部材が前記初期位置から前記終点位置に向けて回動した場合に、前記錘部材により下方に牽引されて前記第１箇所で回動して前記所定の姿勢を維持することを特徴とする遊技機。
【手続補正書】
【提出日】平成27年9月30日(2015.9.30)
【手続補正１】
【補正対象書類名】特許請求の範囲
【補正対象項目名】全文
【補正方法】変更
【補正の内容】
【特許請求の範囲】
【請求項１】
複数のリールと、
複数のストップスイッチと、
遊技の進行を制御する主制御手段と、を備えた遊技機であって、
前記主制御手段は、
当選役を抽選により決定する役決定手段と、
所定のフリーズ演出を制御するフリーズ制御手段と、
遊技に関する情報を記憶可能な記憶手段と、
当選役に対応した図柄組み合わせを停止表示するための情報を決定する停止位置情報決定手段と、を有し、
前記所定のフリーズ演出は、前記ストップスイッチの操作に基づいて所定の図柄組合せを仮停止させることが可能な演出であり、
前記主制御手段は、前記所定のフリーズ演出が終了した後に通常遊技を開始するときは、前記リールの回転開始タイミングをランダムにするための処理を実行し、
前記記憶手段には、前記所定のフリーズ演出に関する情報、及び、前記役決定手段により決定された当選役に関する情報を記憶可能であり、
前記停止位置情報決定手段は、前記所定のフリーズ演出を実行した後に前記記憶手段に記憶された前記当選役に関する情報に基づいて前記当選役に対応した図柄組合せを停止表示するための情報を決定することを特徴とする遊技機。
【手続補正２】
【補正対象書類名】明細書
【補正対象項目名】０００６
【補正方法】変更
【補正の内容】
【０００６】
前記課題を解決するために、本発明に係る遊技機は、複数のリールと、複数のストップスイッチと、遊技の進行を制御する主制御手段と、を備えた遊技機であって、前記主制御手段は、当選役を抽選により決定する役決定手段と、所定のフリーズ演出を制御するフリーズ制御手段と、遊技に関する情報を記憶可能な記憶手段と、当選役に対応した図柄組み合わせを停止表示するための情報を決定する停止位置情報決定手段と、を有し、前記所定のフリーズ演出は、前記ストップスイッチの操作に基づいて所定の図柄組合せを仮停止させることが可能な演出であり、前記主制御手段は、前記所定のフリーズ演出が終了した後に通常遊技を開始するときは、前記リールの回転開始タイミングをランダムにするための処理を実行し、前記記憶手段には、前記所定のフリーズ演出に関する情報、及び、前記役決定手段により決定された当選役に関する情報を記憶可能であり、前記停止位置情報決定手段は、前記所定のフリーズ演出を実行した後に前記記憶手段に記憶された前記当選役に関する情報に基づいて前記当選役に対応した図柄組合せを停止表示するための情報を決定することを特徴とする。
【手続補正３】
【補正対象書類名】明細書
【補正対象項目名】０００７
【補正方法】変更
【補正の内容】
【０００７】
また、本発明に係る遊技機の変形例は、複数の図柄が表示された複数の表示領域を変動表示させる変動表示手段と、変動表示されている前記複数の表示領域の各々を停止させるための操作を受け付ける停止手段と、遊技の進行を制御するメイン制御手段と、前記遊技に対する演出の制御を行う演出制御手段と、を有し、前記メイン制御手段は、所定役を含む複数の役であって、各々に前記図柄の組み合わせが対応付けられた役の中から当選役を決定する役決定手段と、単位遊技毎に、前記変動表示手段の前記表示領域の変動表示の始動及び停止を制御する変動表示制御手段と、第１のフリーズ状態、第２のフリーズ状態及び第３フリーズ状態を含む複数のフリーズ状態を有し、複数の前記フリーズ状態の中から何れか一つのフリーズ状態を決定し、所定の条件を満たしたときに、前記フリーズ状態に基づいて前記遊技の進行を所定の時間遅延させるフリーズを実行するフリーズ制御手段と、を有し、前記フリーズは、前記単位遊技において、前記変動表示手段に所定の図柄の組み合わせを仮停止させるように構成され、前記演出制御手段は、遊技者に有利な結果となる情報を報知する特定演出状態と、前記情報を報知しない通常演出状態と、を制御し、前記フリーズ制御手段は、前記第１のフリーズ状態において、前記役決定手段により前記所定役が決定された遊技で、前記停止手段が所定の操作態様で操作されたことに基づいて、前記フリーズ状態を前記第２のフリーズ状態に切り替え、前記第２のフリーズ状態において、所定の切替条件を満たしたときに、前記フリーズ状態を前記第３のフリーズ状態に切り替え、前記第１のフリーズ状態に切り替えるときに、前記演出制御手段で制御される前記特定演出状態において前記情報を報知するための所定値を決定するように構成することができる。
また、本発明に係る遊技機の変形例において、前記フリーズ制御手段は、前記所定の切替条件として、前記第２のフリーズ状態における前記変動表示の始動及び停止操作の組の回数の合計が所定の値になったときに、前記フリーズ状態を前記第３のフリーズ状態に切り替えるように構成することができる。
【手続補正４】
【補正対象書類名】明細書
【補正対象項目名】０００８
【補正方法】変更
【補正の内容】
【０００８】
また、本発明に係る遊技機の変形例において、前記フリーズ制御手段は、前記第１のフリーズ状態において、前記役決定手段により前記所定役が決定された遊技で、前記停止手段が所定の操作態様で操作されたということを所定の回数連続して検出したときに、前記フリーズ状態を前記第２のフリーズ状態に切り替えるように構成することができる。
【手続補正５】
【補正対象書類名】明細書
【補正対象項目名】０００９
【補正方法】変更
【補正の内容】
【０００９】
また、このような本発明に係る遊技機の変形例おいて、前記フリーズ制御手段は、前記フリーズ状態に応じて前記フリーズの発生頻度を変化させるように構成することができる。
【手続補正６】
【補正対象書類名】明細書
【補正対象項目名】００１０
【補正方法】変更
【補正の内容】
【００１０】
また、本発明に係る遊技機の変形例において、前記役決定手段により決定される前記役は、特別役を含み前記役決定手段により前記特別役が前記当選役として決定され、当該特別役の図柄の組み合わせが前記変動表示手段の前記表示領域に停止表示されてから、所定の終了条件を満たすまでの間、特別遊技状態を選択する遊技状態制御手段を有し、前記フリーズ制御手段は、前記特別遊技状態が終了したときに、前記フリーズ状態を前記第１のフリーズ状態に切り替えるように構成することができる。
【手続補正書】
【提出日】平成27年9月30日(2015.9.30)
【手続補正１】
【補正対象書類名】特許請求の範囲
【補正対象項目名】全文
【補正方法】変更
【補正の内容】
【特許請求の範囲】
【請求項１】
複数のリールと、
複数のストップスイッチと、
遊技の進行を制御する主制御手段と、を備えた遊技機であって、
前記主制御手段は、
当選役を抽選により決定する役決定手段と、
所定のフリーズ演出を制御するフリーズ制御手段と、
遊技に関する情報を記憶可能な記憶手段と、
当選役に対応した図柄組み合わせを停止表示するための情報を決定する停止位置情報決定手段と、を有し、
前記所定のフリーズ演出は、前記ストップスイッチの操作に基づいて所定の図柄組合せを仮停止させることが可能な演出であり、
前記記憶手段には、前記所定のフリーズ演出に関する情報、及び、前記役決定手段により決定された当選役に関する情報を記憶可能であり、
前記停止位置情報決定手段は、前記所定のフリーズ演出を実行した後に前記記憶手段に記憶された前記当選役に関する情報に基づいて前記当選役に対応した図柄組合せを停止表示するための情報を決定することを特徴とする遊技機。
【手続補正２】
【補正対象書類名】明細書
【補正対象項目名】０００６
【補正方法】変更
【補正の内容】
【０００６】
前記課題を解決するために、本発明に係る遊技機は、複数のリールと、複数のストップスイッチと、遊技の進行を制御する主制御手段と、を備えた遊技機であって、前記主制御手段は、当選役を抽選により決定する役決定手段と、所定のフリーズ演出を制御するフリーズ制御手段と、遊技に関する情報を記憶可能な記憶手段と、当選役に対応した図柄組み合わせを停止表示するための情報を決定する停止位置情報決定手段と、を有し、前記所定のフリーズ演出は、前記ストップスイッチの操作に基づいて所定の図柄組合せを仮停止させることが可能な演出であり、前記記憶手段には、前記所定のフリーズ演出に関する情報、及び、前記役決定手段により決定された当選役に関する情報を記憶可能であり、前記停止位置情報決定手段は、前記所定のフリーズ演出を実行した後に前記記憶手段に記憶された前記当選役に関する情報に基づいて前記当選役に対応した図柄組合せを停止表示するための情報を決定することを特徴とする。
【手続補正３】
【補正対象書類名】明細書
【補正対象項目名】０００７
【補正方法】変更
【補正の内容】
【０００７】
また、本発明に係る遊技機の変形例は、複数の図柄が表示された複数の表示領域を変動表示させる変動表示手段と、単位遊技毎に、前記変動表示手段の前記表示領域の変動表示の始動及び停止を制御する変動表示制御手段と、遊技の進行を所定の時間遅延させる所定のフリーズ演出の発生頻度が異なる第１のフリーズ状態及び第２のフリーズ状態を含む複数のフリーズ状態を有し、複数の前記フリーズ状態の中から何れか一つのフリーズ状態を決定し、所定の条件を満たしたときに、前記フリーズ状態に基づいて前記所定のフリーズ演出を実行するフリーズ制御手段と、を有し、前記フリーズ制御手段は、前記第１のフリーズ状態において所定の切替条件を満たしたときに、前記フリーズ状態を前記第２のフリーズ状態に切り替えるように構成することができる。
また、本発明に係る遊技機の変形例において、前記フリーズ制御手段は、前記所定の切替条件として、前記第１のフリーズ状態における前記変動表示の始動及び停止操作の組の回数の合計が所定の値になったときに、前記フリーズ状態を前記第２のフリーズ状態に切り替えるように構成することができる。
【手続補正４】
【補正対象書類名】明細書
【補正対象項目名】０００８
【補正方法】変更
【補正の内容】
【０００８】
また、本発明に係る遊技機の変形例は、特別役を含む複数の役であって、各々に前記図柄の組み合わせが対応付けられた役の中から当選役を決定する役決定手段と、前記役決定手段により前記特別役が前記当選役として決定され、当該特別役の図柄の組み合わせが前記変動表示手段の前記表示領域に停止表示されてから、所定の終了条件を満たすまでの間、特別遊技状態を選択する遊技状態制御手段と、を有し、前記フリーズ状態には、第３のフリーズ状態を含み、前記フリーズ制御手段は、前記第３のフリーズ状態において所定の条件を満たしたときに、前記フリーズ状態を前記第１のフリーズ状態に切り替えるとともに、前記特別遊技状態が終了したときに、前記フリーズ状態を前記第３のフリーズ状態に切り替えるように構成することができる。
【手続補正５】
【補正対象書類名】明細書
【補正対象項目名】０００９
【補正方法】変更
【補正の内容】
【０００９】
また、本発明に係る遊技機の変形例において、前記フリーズ制御手段は、前記所定のフリーズ演出を実行している際に電源断が発生したときは、当該電源の復帰時に前記所定のフリーズ演出を再開するように構成することができる。
【手続補正書】
【提出日】平成27年9月30日(2015.9.30)
【手続補正１】
【補正対象書類名】特許請求の範囲
【補正対象項目名】全文
【補正方法】変更
【補正の内容】
【特許請求の範囲】
【請求項１】
複数のリールと、
複数のストップスイッチと、
遊技の進行を制御する主制御手段と、を備えた遊技機であって、
前記主制御手段は、
当選役を抽選により決定する役決定手段と、
所定のフリーズ演出を制御するフリーズ制御手段と、
遊技に関する情報を記憶可能な記憶手段と、
当選役に対応した図柄組み合わせを停止表示するための情報を決定する停止位置情報決定手段と、を有し、
前記所定のフリーズ演出は、前記ストップスイッチの操作に基づいて所定の図柄組合せを仮停止させることが可能な疑似遊技演出を、単位遊技の中で複数回連続して実行することが可能な演出であり、
前記記憶手段には、前記所定のフリーズ演出に関する情報、及び、前記役決定手段により決定された当選役に関する情報を記憶可能であり、
前記停止位置情報決定手段は、前記所定のフリーズ演出を実行した後に前記記憶手段に記憶された前記当選役に関する情報に基づいて前記当選役に対応した図柄組合せを停止表示するための情報を決定することを特徴とする遊技機。
【手続補正２】
【補正対象書類名】明細書
【補正対象項目名】０００６
【補正方法】変更
【補正の内容】
【０００６】
前記課題を解決するために、本発明に係る遊技機は、複数のリールと、複数のストップスイッチと、遊技の進行を制御する主制御手段と、を備えた遊技機であって、前記主制御手段は、当選役を抽選により決定する役決定手段と、所定のフリーズ演出を制御するフリーズ制御手段と、遊技に関する情報を記憶可能な記憶手段と、当選役に対応した図柄組み合わせを停止表示するための情報を決定する停止位置情報決定手段と、を有し、前記所定のフリーズ演出は、前記ストップスイッチの操作に基づいて所定の図柄組合せを仮停止させることが可能な疑似遊技演出を、単位遊技の中で複数回連続して実行することが可能な演出であり、前記記憶手段には、前記所定のフリーズ演出に関する情報、及び、前記役決定手段により決定された当選役に関する情報を記憶可能であり、前記停止位置情報決定手段は、前記所定のフリーズ演出を実行した後に前記記憶手段に記憶された前記当選役に関する情報に基づいて前記当選役に対応した図柄組合せを停止表示するための情報を決定することを特徴とする。
【手続補正３】
【補正対象書類名】明細書
【補正対象項目名】０００７
【補正方法】変更
【補正の内容】
【０００７】
また、本発明に係る遊技機の変形例は、複数の図柄が表示された複数の表示領域を変動表示させる変動表示手段と、特定役を含む複数の役であって、各々に前記図柄の組み合わせが対応付けられた役の中から当選役を決定する役決定手段と、単位遊技毎に、前記変動表示手段の前記表示領域の変動表示の始動及び停止を制御する変動表示制御手段と、第１のフリーズ状態及び第２フリーズ状態を含む複数のフリーズ状態を有し、複数の前記フリーズ状態の中から何れか一つのフリーズ状態を決定し、所定の条件を満たしたときに、前記フリーズ状態に基づいて遊技の進行を所定の時間遅延させるフリーズを実行するフリーズ制御手段と、を有し、前記フリーズは、前記単位遊技において、前記変動表示手段に所定の図柄の組み合わせを仮停止させるように構成され、前記フリーズ制御手段は、前記第１のフリーズ状態において、第１の条件を満たしたときに前記フリーズを実行し、前記第１のフリーズ状態の前記役決定手段により前記特定役が決定された遊技において、第２の条件を満たしたときは、前記フリーズ状態が前記第２のフリーズ状態に切り替わった以降に前記フリーズを実行するように構成することができる。
また、本発明に係る遊技機の変形例において、前記役決定手段により決定される前記役は、所定役を含み、前記フリーズ制御手段は、前記第１のフリーズ状態で前記第２の条件を満たしており、且つ、前記第２のフリーズ状態の前記役決定手段により前記所定役が決定された遊技において、前記フリーズを実行するように構成することができる。
【手続補正４】
【補正対象書類名】明細書
【補正対象項目名】０００８
【補正方法】変更
【補正の内容】
【０００８】
また、本発明に係る遊技機の変形例において、前記フリーズ制御手段は、前記第２のフリーズ状態において、前記第１の条件を満たしたときに前記フリーズを実行するように構成することができる。
【手続補正５】
【補正対象書類名】明細書
【補正対象項目名】０００９
【補正方法】変更
【補正の内容】
【０００９】
また、本発明に係る遊技機の変形例において、前記フリーズで仮停止される前記所定の図柄の組み合わせは、遊技者に有利な結果となる図柄の組み合わせであるように構成することができる。
【手続補正６】
【補正対象書類名】明細書
【補正対象項目名】００１０
【補正方法】変更
【補正の内容】
【００１０】
また、本発明に係る遊技機の変形例において、前記フリーズ制御手段は、前記フリーズ状態に応じて前記フリーズの発生頻度を変化させるように構成することができる。
【手続補正書】
【提出日】平成27年9月30日(2015.9.30)
【手続補正１】
【補正対象書類名】特許請求の範囲
【補正対象項目名】全文
【補正方法】変更
【補正の内容】
【特許請求の範囲】
【請求項１】
複数のリールと、
複数のストップスイッチと、
遊技の進行を制御する主制御手段と、を備えた遊技機であって、
前記主制御手段は、
当選役を抽選により決定する役決定手段と、
所定のフリーズ演出を制御するフリーズ制御手段と、
遊技に関する情報を記憶可能な記憶手段と、
当選役に対応した図柄組み合わせを停止表示するための情報を決定する停止位置情報決定手段と、を有し、
前記所定のフリーズ演出は、前記ストップスイッチの操作に基づいて所定の図柄組合せを仮停止させることが可能な演出であり、
前記記憶手段には、前記所定のフリーズ演出に関する情報、及び、前記役決定手段により決定された当選役に関する情報を記憶可能であり、
前記主制御手段は、前記所定のフリーズ演出の実行前に、前記記憶手段に前記役決定手段により決定された当選役に関する情報を記憶し、
前記停止位置情報決定手段は、前記所定のフリーズ演出を実行した後に前記記憶手段に記憶された前記当選役に関する情報に基づいて前記当選役に対応した図柄組合せを停止表示するための情報を決定することを特徴とする遊技機。
【手続補正２】
【補正対象書類名】明細書
【補正対象項目名】０００６
【補正方法】変更
【補正の内容】
【０００６】
前記課題を解決するために、本発明に係る遊技機は、複数のリールと、複数のストップスイッチと、遊技の進行を制御する主制御手段と、を備えた遊技機であって、前記主制御手段は、当選役を抽選により決定する役決定手段と、所定のフリーズ演出を制御するフリーズ制御手段と、遊技に関する情報を記憶可能な記憶手段と、当選役に対応した図柄組み合わせを停止表示するための情報を決定する停止位置情報決定手段と、を有し、前記所定のフリーズ演出は、前記ストップスイッチの操作に基づいて所定の図柄組合せを仮停止させることが可能な演出であり、前記記憶手段には、前記所定のフリーズ演出に関する情報、及び、前記役決定手段により決定された当選役に関する情報を記憶可能であり、前記主制御手段は、前記所定のフリーズ演出の実行前に、前記記憶手段に前記役決定手段により決定された当選役に関する情報を記憶し、前記停止位置情報決定手段は、前記所定のフリーズ演出を実行した後に前記記憶手段に記憶された前記当選役に関する情報に基づいて前記当選役に対応した図柄組合せを停止表示するための情報を決定することを特徴とする。
【手続補正３】
【補正対象書類名】明細書
【補正対象項目名】０００７
【補正方法】変更
【補正の内容】
【０００７】
また、本発明に係る遊技機の変形例は、複数の図柄が表示された複数の表示領域を変動表示させる変動表示手段と、単位遊技毎に、前記変動表示手段の前記表示領域の変動表示の始動及び停止を制御する変動表示制御手段と、複数のフリーズ状態を有し、複数の前記フリーズ状態の中から何れか一つのフリーズ状態を決定し、所定の条件を満たしたときに、前記フリーズ状態に基づいて遊技の進行を所定の時間遅延させるフリーズを実行するフリーズ制御手段と、を有し、前記フリーズは、第１のフリーズ及び第２のフリーズを含み、前記第１のフリーズ及び前記第２のフリーズは、前記単位遊技において、前記変動表示手段に所定の図柄の組み合わせを仮停止させるように構成され、前記フリーズ制御手段は、所定のフリーズ状態の所定の遊技において、前記第１のフリーズを実行し、第１の条件を満たしたときに前記第２のフリーズを実行し、第２の条件を満たしたときは、前記第２のフリーズを実行するための前記第１の条件を再度決定するとともに、前記最後の遊技において前記第１のフリーズを実行するように構成することができる。
また、本発明に係る遊技機の変形例において、前記第２のフリーズは、当該第２のフリーズを実行すると決定した遊技から、所定の遊技数後に前記第１の条件を満たして実行されるように構成することができる。
【手続補正４】
【補正対象書類名】明細書
【補正対象項目名】０００８
【補正方法】変更
【補正の内容】
【０００８】
また、本発明に係る遊技機の変形例において、前記フリーズ制御手段は、前記第２の条件を満たしたときは、前記第１の条件であって前記第２のフリーズが実行されるまでの遊技数を抽選または所定値に基づいて決定するように構成することができる。
【手続補正５】
【補正対象書類名】明細書
【補正対象項目名】０００９
【補正方法】変更
【補正の内容】
【０００９】
また、本発明に係る遊技機の変形例において、前記第２の条件は、前記所定のフリーズ状態において、前記所定のフリーズ状態とは異なるフリーズ状態に切り替えるまでの遊技数が、所定値未満であるように構成することができる。
【手続補正書】
【提出日】平成27年9月30日(2015.9.30)
【手続補正１】
【補正対象書類名】特許請求の範囲
【補正対象項目名】全文
【補正方法】変更
【補正の内容】
【特許請求の範囲】
【請求項１】
複数のリールと、
複数のストップスイッチと、
遊技の進行を制御する主制御手段と、を備えた遊技機であって、
前記主制御手段は、
当選役を抽選により決定する役決定手段と、
所定のフリーズ演出を制御するフリーズ制御手段と、
遊技に関する情報を記憶可能な記憶手段と、
当選役に対応した図柄組み合わせを停止表示するための情報を決定する停止位置情報決定手段と、を有し、
前記所定のフリーズ演出は、前記ストップスイッチの操作に基づいて所定の図柄組合せを仮停止させることが可能な演出であり、
前記主制御手段は、前記所定のフリーズ演出が終了した後に通常遊技を開始するときは、前記リールの回転開始タイミングをランダムにするための処理を実行し、
前記記憶手段には、前記所定のフリーズ演出に関する情報、及び、前記役決定手段により決定された当選役に関する情報を記憶可能であり、
前記主制御手段は、前記所定のフリーズ演出の実行前に、前記記憶手段に前記役決定手段により決定された当選役に関する情報を記憶し、
前記停止位置情報決定手段は、前記所定のフリーズ演出を実行した後に前記記憶手段に記憶された前記当選役に関する情報に基づいて前記当選役に対応した図柄組合せを停止表示するための情報を決定することを特徴とする遊技機。
【手続補正２】
【補正対象書類名】明細書
【補正対象項目名】０００６
【補正方法】変更
【補正の内容】
【０００６】
前記課題を解決するために、本発明に係る遊技機は、複数のリールと、複数のストップスイッチと、遊技の進行を制御する主制御手段と、を備えた遊技機であって、前記主制御手段は、当選役を抽選により決定する役決定手段と、所定のフリーズ演出を制御するフリーズ制御手段と、遊技に関する情報を記憶可能な記憶手段と、当選役に対応した図柄組み合わせを停止表示するための情報を決定する停止位置情報決定手段と、を有し、前記所定のフリーズ演出は、前記ストップスイッチの操作に基づいて所定の図柄組合せを仮停止させることが可能な演出であり、前記主制御手段は、前記所定のフリーズ演出が終了した後に通常遊技を開始するときは、前記リールの回転開始タイミングをランダムにするための処理を実行し、前記記憶手段には、前記所定のフリーズ演出に関する情報、及び、前記役決定手段により決定された当選役に関する情報を記憶可能であり、前記主制御手段は、前記所定のフリーズ演出の実行前に、前記記憶手段に前記役決定手段により決定された当選役に関する情報を記憶し、前記停止位置情報決定手段は、前記所定のフリーズ演出を実行した後に前記記憶手段に記憶された前記当選役に関する情報に基づいて前記当選役に対応した図柄組合せを停止表示するための情報を決定することを特徴とする。
【手続補正３】
【補正対象書類名】明細書
【補正対象項目名】０００７
【補正方法】変更
【補正の内容】
【０００７】
また、本発明に係る遊技機の変形例は、遊技の進行を制御するメイン制御手段と、前記遊技に対する演出の制御を行う演出制御手段と、を有し、前記演出制御手段は、遊技者に有利に結果となる情報を報知する特定演出状態と、前記特定演出状態に移行するか否かを決定する抽選演出状態と、を制御し、前記抽選演出状態の所定の遊技数の遊技において、前記特定演出状態に移行する否かを決定するための権利を獲得するか否かを抽選で決定し、前記所定の遊技数の遊技が終了した後、前記権利の数が所定値以上であるときは、前記特定演出状態に移行し、前記権利の数が所定値より小さいときは、当該権利の数に基づいた抽選により前記特定演出状態に移行するか否かを決定するように構成することができる。
また、本発明に係る遊技機の変形例において、前記演出制御手段は、前記所定の遊技数の遊技が終了した後、前記権利の数が所定値以上であると判断したときは、前記権利の数から所定の値を減算し、前記特定演出状態が終了した後に、残りの前記権利の数に基づいた抽選により、再度前記特定演出状態に移行するか否かを決定するように構成することができる。
【手続補正４】
【補正対象書類名】明細書
【補正対象項目名】０００８
【補正方法】変更
【補正の内容】
【０００８】
また、本発明に係る遊技機の変形例において、前記メイン制御手段は、特定役を含む複数の役であって、各々に前記図柄の組み合わせが対応付けられた役の中から当選役を決定する役決定手段を有し、前記抽選演出状態の前記所定の遊技数の遊技において、前記役決定手段により前記特定役が決定されたときは、前記権利の数から所定の数を減算するように構成することができる。
【手続補正書】
【提出日】平成27年9月25日(2015.9.25)
【手続補正１】
【補正対象書類名】特許請求の範囲
【補正対象項目名】全文
【補正方法】変更
【補正の内容】
【特許請求の範囲】
【請求項１】
外周面に複数種類の図柄が配列されている複数のリールと、
遊技毎に遊技媒体の投入を受け付けて、規定投入数に相当する遊技媒体が投入されたことに基づいて遊技開始操作を有効化する投入受付手段と、
前記遊技開始操作に基づいて、第１ボーナス、第２ボーナス、小役を含む複数種類の役の当否を決定する内部抽選を行う内部抽選手段と、
前記遊技開始操作に基づいて前記複数のリールを遊技毎に回転させ、停止操作を契機として、内部抽選の結果に応じた態様で回転中のリールを停止させる制御を行うリール制御手段と、
前記複数のリールの停止態様に基づいて、役の入賞の有無を判定する入賞判定手段と、
前記小役の入賞に伴い、入賞した前記小役の配当に基づいて遊技媒体の払出数を決定する払出制御手段と、
複数種類の遊技状態の間で遊技状態を移行させ、通常状態において前記第１ボーナスが当選したことに基づいて遊技状態を第１のボーナス成立状態に移行させ前記第１ボーナスが入賞したことに基づいて遊技状態を第１のボーナス状態に移行させ、前記通常状態において前記第２ボーナスが当選したことに基づいて遊技状態を第２のボーナス成立状態に移行させ前記第２ボーナスが入賞したことに基づいて遊技状態を第２のボーナス状態に移行させる制御を行う遊技状態移行制御手段と、
複数種類の演出状態の間で演出状態を変化させ、演出状態がアシストタイム状態に設定されている場合に、役の入賞を補助する入賞補助演出を演出装置に実行させる制御を行う演出制御手段とを備えた遊技機であって、
前記投入受付手段が、
前記通常状態では規定投入数として、第１の投入数と第２の投入数とを選択可能に設定し、
前記内部抽選手段が、
前記通常状態において前記第１の投入数に相当する遊技媒体が投入された遊技では、前記第１ボーナスを抽選対象とするが前記第２ボーナスを抽選対象から除外し、前記通常状態において前記第２の投入数に相当する遊技媒体が投入された遊技では、前記第２ボーナスを抽選対象とするが前記第１ボーナスを抽選対象から除外し、
前記第１のボーナス成立状態では、前記第１ボーナスが入賞するまで前記第１ボーナスが当選した状態を持ち越しつつ内部抽選で前記第１ボーナスおよび前記第２ボーナス以外の役の当否を決定し、前記第２のボーナス成立状態では、前記第２ボーナスが入賞するまで前記第２ボーナスが当選した状態を持ち越しつつ内部抽選で前記第１ボーナスおよび前記第２ボーナス以外の役の当否を決定し、
前記第２のボーナス状態では、前記配当が規定投入数よりも高く設定された特定小役が前記通常状態よりも当選した状態となり易いようにし、
前記リール制御手段が、
前記第１のボーナス成立状態において前記第１ボーナスと前記小役とがともに当選した状態では、前記第１ボーナスに優先して前記小役が入賞するように回転中のリールを停止させ、前記小役を入賞させることができない態様で停止操作が行われた場合に前記第１ボーナスが入賞可能となるように回転中のリールを停止させる制御を行い、
前記第２のボーナス状態において前記特定小役が当選した状態では、前記特定小役が入賞するように回転中のリールを停止させる制御を行い、
前記演出制御手段が、
前記通常状態において前記第２の投入数に相当する遊技媒体が投入された遊技において演出状態を前記アシストタイム状態に設定するか否かを決定し、演出状態を前記アシストタイム状態に設定することを決定すると、前記第１のボーナス成立状態において演出状態を前記アシストタイム状態に設定し、前記入賞補助演出によって前記特定小役の入賞を補助することを特徴とする遊技機。
【請求項２】
外周面に複数種類の図柄が配列されている複数のリールと、
遊技毎に遊技媒体の投入を受け付けて、規定投入数に相当する遊技媒体が投入されたことに基づいて遊技開始操作を有効化する投入受付手段と、
前記遊技開始操作に基づいて、第１ボーナス、第２ボーナス、小役を含む複数種類の役の当否を決定する内部抽選を行う内部抽選手段と、
前記遊技開始操作に基づいて前記複数のリールを遊技毎に回転させ、停止操作を契機として、内部抽選の結果に応じた態様で回転中のリールを停止させる制御を行うリール制御手段と、
前記複数のリールの停止態様に基づいて、役の入賞の有無を判定する入賞判定手段と、
前記小役の入賞に伴い、入賞した前記小役の配当に基づいて遊技媒体の払出数を決定する払出制御手段と、
複数種類の遊技状態の間で遊技状態を移行させ、通常状態において前記第１ボーナスが当選したことに基づいて遊技状態を第１のボーナス成立状態に移行させ前記第１ボーナスが入賞したことに基づいて遊技状態を第１のボーナス状態に移行させ、前記通常状態において前記第２ボーナスが当選したことに基づいて遊技状態を第２のボーナス成立状態に移行させ前記第２ボーナスが入賞したことに基づいて遊技状態を第２のボーナス状態に移行させる制御を行う遊技状態移行制御手段と、
複数種類の演出状態の間で演出状態を変化させ、演出状態がアシストタイム状態に設定されている場合に、役の入賞を補助する入賞補助演出を演出装置に実行させる制御を行う演出制御手段とを備えた遊技機であって、
前記投入受付手段が、
前記通常状態では規定投入数として、第１の投入数と第２の投入数とを選択可能に設定し、
前記内部抽選手段が、
前記通常状態において前記第１の投入数に相当する遊技媒体が投入された遊技では、前記第１ボーナスを抽選対象とするが前記第２ボーナスを抽選対象から除外し、前記通常状態において前記第２の投入数に相当する遊技媒体が投入された遊技では、前記第２ボーナスを抽選対象とするが前記第１ボーナスを抽選対象から除外し、
前記第１のボーナス成立状態では、前記第１ボーナスが入賞するまで前記第１ボーナスが当選した状態を持ち越しつつ内部抽選で前記第１ボーナスおよび前記第２ボーナス以外の役の当否を決定し、前記第２のボーナス成立状態では、前記第２ボーナスが入賞するまで前記第２ボーナスが当選した状態を持ち越しつつ内部抽選で前記第１ボーナスおよび前記第２ボーナス以外の役の当否を決定し、
前記リール制御手段が、
前記第１のボーナス成立状態において前記第１ボーナスと前記小役とがともに当選した状態では、前記第１ボーナスに優先して前記小役が入賞するように回転中のリールを停止させる制御を行い、
前記第２のボーナス状態において前記配当が規定投入数よりも高く設定された特定小役が当選した状態では、前記特定小役が入賞するように回転中のリールを停止させる制御を行い、
前記演出制御手段が、
演出状態を前記アシストタイム状態に設定することを決定すると、前記第１のボーナス成立状態において演出状態を前記アシストタイム状態に設定し、前記入賞補助演出によって前記特定小役の入賞を補助することを特徴とする遊技機。
【手続補正書】
【提出日】平成27年8月21日(2015.8.21)
【手続補正１】
【補正対象書類名】特許請求の範囲
【補正対象項目名】全文
【補正方法】変更
【補正の内容】
【特許請求の範囲】
【請求項１】
合成樹脂製の下部ケースと、この下部ケースに重ね合わされる合成樹脂製の上部ケースと、上部及び下部ケース間に配された合成樹脂製のスラスト滑り軸受片とを具備しており、下部ケースは、円環状基体部と、この円環状基体部の円筒外面に設けられた環状係合突起部とを備えており、上部ケースは、円環状基板部と、この円環状基板部の内側から垂下した内側筒状垂下部と、円環状基板部の外側から垂下した外側筒状垂下部と、外側筒状垂下部の下端に設けられていると共に係合突起部と係合するフック部とを備えており、下部ケースの円環状基体部の円筒外面の上部ケースの外側筒状垂下部の円筒内面への摺動自在な接触部によりラジアル滑り軸受部が形成されているスラスト滑り軸受。
【請求項２】
合成樹脂製の下部ケースと、この下部ケースに重ね合わされる合成樹脂製の上部ケースと、上部及び下部ケース間に配された合成樹脂製のスラスト滑り軸受片とを具備しており、下部ケースは、環状上面、環状下面及び円筒外面を有すると共に当該環状上面に環状凹部を有する円環状基体部を備えており、上部ケースは、円環状基板部と、該円環状基板部に当該円環状基板部から垂下して一体的に設けられている内側筒状垂下部と、該円環状基板部に当該円環状基板部から垂下して一体的に設けられていると共に円筒内面を有した外側筒状垂下部とを備えており、スラスト滑り軸受片は、その環状上面を円環状基板部の環状下面に摺動自在に接触させている一方、その環状下面を該環状凹部を規定する円環状基体部の環状凹部底面に摺動自在に接触させて当該環状凹部に配されており、上部ケースは、径方向に関して内側筒状垂下部よりも厚肉のその外側筒状垂下部の円筒内面を下部ケースの円環状基体部の円筒外面に摺動自在に接触させて、下部ケースに重ね合わされてなるスラスト滑り軸受。
【請求項３】
油圧式ショックアブソーバ及びこの油圧式ショックアブソーバを囲繞して配されたコイルばねを具備した車輌のストラット型サスペンションを請求項１又は２に記載のスラスト滑り軸受を介して車体に取付ける取付構造であって、油圧式ショックアブソーバのピストンロッドを車体に取付ける取付手段と、コイルばねを受ける上部ばね受手段とを具備しており、該スラスト滑り軸受は、当該取付手段と上部ばね受手段との間に配されており、取付手段は、車体側に固定された第一の環状平板状部及び該第一の環状平板状部の環状内縁から下方に突出すると共に内周面で貫通孔を規定する第一の円筒突出部を備えた車体取付部材と、第一の環状平板状部の下面に一体に形成された第二の環状平板状部及び当該第二の環状平板状部の環状外縁から下方に延びる円筒垂下部を備えた取付部材とを具備しており、上部ばね受手段は、第三の環状平板状部及び当該第三の環状平板状部の環状内縁から上方に突出すると共に内周面で貫通孔を規定する第二の円筒突出部を備えた上部ばね受部材からなり、スラスト滑り軸受は、第一の円筒突出部と第二の環状平板状部と円筒垂下部と第三の環状平板状部と第二の円筒突出部とで形成される環状空間に配されている取付構造。
【手続補正書】
【提出日】平成27年4月6日(2015.4.6)
【手続補正１】
【補正対象書類名】特許請求の範囲
【補正対象項目名】全文
【補正方法】変更
【補正の内容】
【特許請求の範囲】
【請求項１】
第１の順番の複数の指向性送信セクタを備える第１のシーケンスを生成するシーケンス選択モジュールと、
前記第１のシーケンスに応じて、前記複数の指向性送信セクタのそれぞれにおけるワイヤレスのビーコン信号を連続して送信する複数の放出素子と
を備え、
前記第１のシーケンスは、前記複数の指向性送信セクタのそれぞれを含む
装置。
【請求項２】
前記ワイヤレスのビーコン信号を連続して送信することは、前記第１のシーケンスに応じて、前記複数の指向性送信セクタのそれぞれにおける前記ビーコン信号を、予め定められた期間内に連続して送信することを備える
請求項１に記載の装置。
【請求項３】
前記第１のシーケンスに基づいて、前記複数の放出素子について複数の動作特性を確立する指向性制御モジュール
をさらに備える請求項１又は２に記載の装置。
【請求項４】
１つ又は複数のユーザアプリケーションに対応する複数の動作を実行するホストモジュール
をさらに備える請求項１から３のいずれか１項に記載の装置。
【請求項５】
前記シーケンス選択モジュールは、前記複数の指向性送信セクタのそれぞれについて前記第１の順番をランダムに決定することによって、前記第１のシーケンスを生成する
請求項１から４のいずれか１項に記載の装置。
【請求項６】
前記シーケンス選択モジュールはさらに、第２の順番の前記複数の指向性送信セクタを備える第２のシーケンスを生成し、
前記第２のシーケンスは、前記複数の指向性送信セクタのそれぞれを含み、
前記第２の順番は、前記第１の順番とは異なり、
前記複数の放出素子はさらに、前記複数の放出素子が前記第１のシーケンスに応じて前記複数の指向性送信セクタのそれぞれにおける前記ワイヤレスのビーコン信号を連続して送信する第１の期間の後の第２の期間の間に、前記第２のシーケンスに応じて、前記複数の指向性送信セクタのそれぞれにおける前記ワイヤレスのビーコン信号を連続して送信する
請求項１に記載の装置。
【請求項７】
前記複数の放出素子は、前記第１の期間及び前記第２の期間の間にデータ送信をワイヤレスで送る
請求項６に記載の装置。
【請求項８】
前記第１のシーケンスは、全周のパノラマを網羅する
請求項１から７のいずれか一項に記載の装置。
【請求項９】
第１の順番の複数の指向性送信セクタを備える第１のシーケンスを生成する段階と、
複数の放出素子によって、前記第１のシーケンスに応じて、前記複数の指向性送信セクタのそれぞれにおけるワイヤレスのビーコン信号を連続して送信する段階と
を備え、
前記第１のシーケンスは、前記複数の指向性送信セクタのそれぞれを含む
方法。
【請求項１０】
前記ワイヤレスのビーコン信号を連続して送信する段階は、前記第１のシーケンスに応じて、前記複数の指向性送信セクタのそれぞれにおける前記ビーコン信号を、予め定められた期間内に連続して送信する段階をさらに備える
請求項９に記載の方法。
【請求項１１】
前記第１のシーケンスに基づいて、前記複数の放出素子について複数の動作特性を確立する段階
をさらに備える請求項９又は１０に記載の方法。
【請求項１２】
１つ又は複数のユーザアプリケーションに対応する複数の動作を実行する段階
をさらに備える請求項９から１１のいずれか１項に記載の方法。
【請求項１３】
前記第１のシーケンスを生成する段階は、
前記複数の指向性送信セクタのそれぞれについて前記第１の順番をランダムに決定する段階
を備える請求項９から１２のいずれか１項に記載の方法。
【請求項１４】
第２の順番の前記複数の指向性送信セクタを備える第２のシーケンスを生成する段階と、
前記複数の放出素子が前記第１のシーケンスに応じて前記複数の指向性送信セクタのそれぞれにおける前記ワイヤレスのビーコン信号を連続して送信する第１の期間の後の第２の期間の間に、前記第２のシーケンスに応じて、前記複数の指向性送信セクタのそれぞれにおける前記ワイヤレスのビーコン信号を連続して送信する段階と
をさらに備え
前記第２のシーケンスは、前記複数の指向性送信セクタのそれぞれを含み、
前記第２の順番は、前記第１の順番とは異なる
請求項９に記載の方法。
【請求項１５】
前記第１の期間及び前記第２の期間の間にデータ送信をワイヤレスで送る段階
をさらに備える請求項１４に記載の方法。
【請求項１６】
前記第１のシーケンスは、全周のパノラマを網羅する
請求項９から１５のいずれか一項に記載の方法。
【請求項１７】
第１の順番の複数の指向性送信セクタを備える第１のシーケンスを生成する段階と、
複数の放出素子によって前記第１のシーケンスに応じて前記複数の指向性送信セクタのそれぞれにおけるワイヤレスのビーコン信号を連続して送信するための複数の動作特性を確立する段階と
をコンピュータに実行させ、
前記第１のシーケンスが、前記複数の指向性送信セクタのそれぞれを含む
プログラム。
【請求項１８】
前記ワイヤレスのビーコン信号を連続して送信するための複数の動作特性を確立する段階は、前記第１のシーケンスに応じて前記複数の指向性送信セクタのそれぞれにおける前記ビーコン信号を予め定められた期間内に連続して送信するための複数の動作特性を確立する段階をさらに備える
請求項１７に記載のプログラム。
【請求項１９】
前記プログラムはさらに、前記コンピュータに、
１つ又は複数のユーザアプリケーションに対応する複数の動作
を実行させる請求項１７又は１８に記載のプログラム。
【請求項２０】
前記第１のシーケンスを生成する段階は、
前記複数の指向性送信セクタのそれぞれについて前記第１の順番をランダムに決定する段階
を備える請求項１７から１９のいずれか１項に記載のプログラム。
【請求項２１】
前記プログラムはさらに、前記コンピュータに、
第２の順番の前記複数の指向性送信セクタを備える第２のシーケンスを生成する段階と、
前記複数の放出素子によって前記第１のシーケンスに応じて前記複数の指向性送信セクタのそれぞれにおける前記ワイヤレスのビーコン信号を連続して送信する第１の期間の後の第２の期間の間に、前記第２のシーケンスに応じて、前記複数の指向性送信セクタのそれぞれにおける前記ワイヤレスのビーコン信号を連続して送信するための複数の動作特性を確立する段階と
を実行させ、
前記第２のシーケンスは、前記複数の指向性送信セクタのそれぞれを含み、
前記第２の順番は、前記第１の順番とは異なる
請求項１７に記載のプログラム。
【請求項２２】
前記プログラムはさらに、前記コンピュータに、
前記第１の期間及び前記第２の期間の間にデータ送信をワイヤレスで送るための複数の動作特性を確立させる
請求項２１に記載のプログラム。
【請求項２３】
前記第１のシーケンスは、全周のパノラマを網羅する
請求項１７から２２のいずれか一項に記載のプログラム。
【手続補正書】
【提出日】平成27年8月20日(2015.8.20)
【手続補正１】
【補正対象書類名】明細書
【補正対象項目名】発明の名称
【補正方法】変更
【補正の内容】
【発明の名称】リチウムマンガン複合酸化物及びその作製方法
【手続補正２】
【補正対象書類名】特許請求の範囲
【補正対象項目名】全文
【補正方法】変更
【補正の内容】
【特許請求の範囲】
【請求項１】
層状岩塩型の結晶構造を有する粒子と、前記粒子の表面の一部にあるスピネル型の結晶構造と、を有するリチウムマンガン複合酸化物であって、
前記リチウムマンガン複合酸化物は、Ｘ線回折測定により得られるピークが、層状岩塩型構造のＬｉ２ＭｎＯ３のピークと一致し、
前記リチウムマンガン複合酸化物は、炭素を有する層で被覆されることを特徴とするリチウムマンガン複合酸化物。
【請求項２】
層状岩塩型の結晶構造を有する粒子と、前記粒子の表面の一部にあるスピネル型の結晶構造と、を有するリチウムマンガン複合酸化物であって、
前記リチウムマンガン複合酸化物は、ニッケルを有し、
前記リチウムマンガン複合酸化物は、空間群Ｃ２／ｃに属する領域を有し、
前記リチウムマンガン複合酸化物は、炭素を有する層で被覆されることを特徴とするリチウムマンガン複合酸化物。
【請求項３】
層状岩塩型の結晶構造を有する粒子と、前記粒子の表面の一部にあるスピネル型の結晶構造と、を有するリチウムマンガン複合酸化物の作製方法であって、
前記リチウムマンガン複合酸化物を、炭素を有する層で被覆し、
前記炭素を有する層で被覆されたリチウムマンガン複合酸化物に対して、還元処理を行って、前記スピネル構造を形成することを特徴とするリチウムマンガン複合酸化物の作製方法。
【手続補正書】
【提出日】平成27年4月17日(2015.4.17)
【手続補正１】
【補正対象書類名】特許請求の範囲
【補正対象項目名】全文
【補正方法】変更
【補正の内容】
【特許請求の範囲】
【請求項１】
体細胞又は卵細胞を外部から受け入れて多能性幹細胞を誘導する処理室又は他の施設で誘導された多能性幹細胞を外部から受け入れて調整する処理室が設けられた幹細胞調整エリアから外向きに主搬送路を伸ばし，前記主搬送路から少なくとも１本の分岐搬送路を分岐させ，前記分岐搬送路上に前記幹細胞の培養室とその培養細胞の分析室とが含まれる細胞培養エリアを配置し，前記幹細胞調整エリアの処理室を主搬送路と受渡し口経由で連通させ，前記細胞培養エリアの培養室及び分析室をそれぞれ分岐搬送路と受渡し口経由で連通させ，前記幹細胞調整エリアと細胞培養エリアと主搬送路及び分岐搬送路が含まれる搬送エリアとにそれぞれ独立に全てのエリアの外へ通じる作業員出入口を設け，前記幹細胞調整エリアと細胞培養エリアと搬送エリアとの相互間には作業員出入口を設けていない多能性幹細胞の培養方法。
【請求項２】
請求項１の培養方法において，前記搬送エリアの主搬送路上に各細胞培養エリアで培養された細胞を保管する保管室を設け，前記主搬送路と保管室とを受渡し口経由で連通させてなる多能性幹細胞の培養方法。
【請求項３】
請求項２の培養方法において，前記保管室を出荷準備室と受渡し口経由で連通させてなる多能性幹細胞の培養方法。
【請求項４】
体細胞又は卵細胞を外部から受け入れて多能性幹細胞を誘導する処理室又は他の施設で誘導された多能性幹細胞を外部から受け入れて調整する処理室が設けられた幹細胞調整エリア，前記処理室から外向きに伸びる１本の主搬送路とそこから分岐した少なくとも１本の分岐搬送路とが含まれる搬送エリア，及び前記分岐搬送路上に配置された前記幹細胞の培養室とその培養細胞の分析室とが含まれる細胞培養エリアを備え，前記幹細胞調整エリアの処理室を主搬送路と受渡し口経由で連通させ，前記細胞培養エリアの培養室及び分析室をそれぞれ分岐搬送路と受渡し口経由で連通させ，前記幹細胞調整エリアと細胞培養エリアと搬送エリアとにそれぞれ独立に全てのエリアの外へ通じる作業員出入口を設け，前記幹細胞調整エリアと細胞培養エリアと搬送エリアとの相互間には作業員出入口を設けていない多能性幹細胞の培養施設。
【請求項５】
請求項４の培養施設において，前記搬送エリアの主搬送路上に各細胞培養エリアで培養された細胞を保管する保管室を設け，前記主搬送路と保管室とを受渡し口経由で連通させてなる多能性幹細胞の培養施設。
【請求項６】
請求項５の培養施設において，前記保管室を出荷準備室と受渡し口経由で連通させてなる多能性幹細胞の培養施設。
【請求項７】
請求項４から６の何れかの培養施設において，前記搬送エリアに１本の主搬送路と複数本の分岐搬送路とを含め，前記複数の分岐搬送路の少なくとも１本に未分化幹細胞の培養室とその分析室とが含まれる培養エリアを配置し，他の分岐搬送路に分化後の幹細胞の培養室とその分析室とが含まれる培養エリアを配置してなる多能性幹細胞の培養施設。
【請求項８】
請求項４から６の何れかの培養施設において，前記搬送エリアに１本の主搬送路と複数本の分岐搬送路とを含め，前記複数の分岐搬送路上にそれぞれ未分化幹細胞の培養室が含まれる培養エリアを配置すると共に，その複数の分岐搬送路に共通の分析室をその複数の分岐搬送路の何れかに配置してなる多能性幹細胞の培養施設。
【手続補正２】
【補正対象書類名】明細書
【補正対象項目名】００１０
【補正方法】変更
【補正の内容】
【００１０】
図１及び図２の実施例を参照するに，本発明による多能性幹細胞の培養方法は，体細胞又は卵細胞を外部から受け入れて多能性幹細胞を誘導する処理室２１又は他の施設で誘導された多能性幹細胞を外部から受け入れて調整する処理室２１が設けられた幹細胞調整エリア２０から外向きに主搬送路３１を伸ばし，主搬送路３１から少なくとも１本の分岐搬送路３２（図２では分岐搬送路３２Ａ，３２Ｂ，３２Ｃ）を分岐させ，分岐搬送路３２上に幹細胞の培養室４１〜４４とその培養細胞の分析室４５とが含まれる細胞培養エリア４０（図２では細胞培養エリア４０Ａ，４０Ｂ，４０Ｃ）を配置し，幹細胞調整エリア２０の処理室２１を主搬送路３１と受渡し口Ｃ経由で連通させ，細胞培養エリア４０の培養室４１〜４４及び分析室４５をそれぞれ分岐搬送路３２と受渡し口Ｄ，Ｅ，Ｆ経由で連通させ，幹細胞調整エリア２０と細胞培養エリア４０と主搬送路３１及び分岐搬送路３２が含まれる搬送エリア３０とにそれぞれ独立に全てのエリア２０，４０，３０の外へ通じる作業員出入口２２，（４７＋４８），３３を設け，幹細胞調整エリア２０と細胞培養エリア４０と搬送エリア３０との相互間には作業員出入口を設けていないものである。
【手続補正３】
【補正対象書類名】明細書
【補正対象項目名】００１１
【補正方法】変更
【補正の内容】
【００１１】
また，図１及び図２の実施例を参照するに，本発明による多能性幹細胞の培養施設は，体細胞又は卵細胞を外部から受け入れて多能性幹細胞を誘導する処理室２１又は他の施設で誘導された多能性幹細胞を外部から受け入れて調整する処理室２１が設けられた幹細胞調整エリア２０，処理室２１から外向きに伸びる１本の主搬送路３１とそこから分岐した少なくとも１本の分岐搬送路３２とが含まれる搬送エリア３０（図２では分岐搬送路３２Ａ，３２Ｂ，３２Ｃ），及び分岐搬送路３２上に配置された幹細胞の培養室４１〜４４とその培養細胞の分析室４５とが含まれる細胞培養エリア４０（図２では細胞培養エリア４０Ａ，４０Ｂ，４０Ｃ）を備え，幹細胞調整エリア２０の処理室２１を主搬送路３１と受渡し口Ｃ経由で連通させ，細胞培養エリア４０の培養室４１〜４４及び分析室４５をそれぞれ分岐搬送路３２と受渡し口Ｄ，Ｅ，Ｆ経由で連通させ，幹細胞調整エリア２０と細胞培養エリア４０と主搬送路３１及び分岐搬送路３２が含まれる搬送エリア３０とにそれぞれ独立に全てのエリア２０，４０，３０の外へ通じる作業員出入口２２，（４７＋４８），３３を設け，幹細胞調整エリア２０と細胞培養エリア４０と搬送エリア３０との相互間には作業員出入口を設けていないものである。